(57)【特許請求の範囲】
【請求項１】
互いに並設された一対の端子と、
前記一対の端子を互いに接続する可溶体と、
互いに取り付けられて前記一対の端子の一端部と該一端部の端面から前記一対の端子と平行に延びた第１延在部を有した前記可溶体とを互いの間に挟み込んで収容する複数のケース部材と、
導電性を有しかつ前記一対の端子それぞれと電気的に接続した複数の係止爪と、を備え、
前記複数の係止爪それぞれは、一つのケース部材に対応して設けられ、かつ前記ケース部材それぞれは、前記係止爪が一つ対応しているとともに、
前記係止爪は、前記可溶体の前記第１延在部から前記ケース部材の外方に突出するとともに、
前記複数のケース部材は、それぞれ、前記係止爪が係止可能な係止受け部を備え、
前記係止爪は、幅広部と、この幅広部より幅が狭い狭矮部と、を備え、前記ケース部材の外表面に係止した際に前記狭矮部と前記幅広部とは、前記ケース部材が端子と可溶体とを互いに挟み込む方向に沿って連なっているとともに、
前記係止受け部は、前記ケース部材それぞれの外表面から凹に形成されかつ前記幅広部と合致する第２幅広部と前記狭矮部と合致する第２狭矮部と、を備え、前記第２狭矮部と前記第２幅広部とは前記ケース部材が端子と可溶体とを互いに挟み込む方向に沿って連なっていることを特徴とするヒューズ。
【請求項２】
前記狭矮部が前記幅広部より前記可溶体寄りに配されているとともに、
前記第２幅広部が前記第２狭矮部より前記ケース部材の外方向に配されていることを特徴とする請求項１記載のヒューズ。
【発明の詳細な説明】
【０００１】
【発明の属する技術分野】
本発明は、ヒューズに関する。
【０００２】
【従来の技術】
移動体としての車両には、ジャンクションブロックやリレーボックス、ヒューズブロックといった電気接続箱中のバスバーや、電気接続用コネクタの端子等、電力そのものや信号を伝送するための電力伝送ラインが数多く配設される。
【０００３】
また、前述した電力電送ラインには、各種の電装品の電気回路を保護するために、多数のヒューズを抜き差し可能に配設したヒューズブロックが用いられている（ヒューズブロックは、リレー又はバスバーなどを有することもあることから、リレーボックス若しくはジャンクションブロック、又は総称して電気接続箱とも呼ばれる。本明細書では、前述したヒューズブロック、リレーボックス、ジャンクションブロックを、総称して以下電気接続箱と呼ぶ）。
【０００４】
前記電気接続箱に用いられるヒューズの一例として、例えば図７に示すヒューズ１０１が用いられてきた。図７に例示されたヒューズ１０１は、一対のブレード状の端子１０２と、前記一対の端子１０２を互いに連結する図示しない可溶体と、絶縁性の合成樹脂などからなりかつ前記一対の端子１０２の一端部と前記可溶体とを収容するハウジング１０４と、を備えている。
【０００５】
前述した構成のヒューズ１０１は、前記電気接続箱に装着された際に、前記一対の端子１０２がそれぞれ前記電気接続箱の受け端子に接続する。これらの受け端子を介して一方の端子１０２には電源などから電力が供給され、かつ他方の端子１０２には各種の負荷が電気的に接続する。
【０００６】
ヒューズ１０１は、受け端子などを介して一方の端子１０２に供給される電力の電流値が、予め定められた所定の電流値を超えると、可溶体が溶断して、前記負荷への電力の供給を停止する。
【０００７】
【発明が解決しようとする課題】
しかしながら前述したヒューズ１０１は、可溶体の溶断後に端子１０２が相互により確実に短絡しないように、前記一対の端子１０２間に隔壁を設けることが望まれている。この種の隔壁は、例えば、絶縁性のハウジング１０４などと一体に形成されて得られる。
【０００８】
前述した隔壁を一対の端子間に設けると、端子１０２の一端部と可溶体とをハウジング１０４内に収容するために、前記ハウジング１０４を例えば２分割などの複数の部材に分割して形成する必要が生じる。この場合、分割された部材で前記一対の端子１０２と可溶体とを互いに挟み込むように組み立てられることとなる。
【０００９】
前述したようにハウジング１０４を複数の部材に分割して形成すると、ハウジング１０４の組立後に複数の部材間にガタが生じる恐れがある。複数の部材間にガタが生じると、前記電気接続箱が搭載される自動車などの走行中の振動によって、複数の部材それぞれが前記電気接続箱の装着部内で互いにぶつかり合って異音などを生じたり、最悪の場合には前記装着部から脱落することも考えられる。
【００１０】
また、複数の部材間にガタが生じて走行中の振動によって、複数の部材それぞれが前記電気接続箱の装着部内で互いにぶつかり合うと、可溶体が変形することも考えられて望ましくない。さらに、前述した従来のヒューズ１０１は、端子１０２の一端部及び可溶体がハウジング１０４内に収容されているので、可溶体が溶断したか否かを確認することが困難であった。
【００１１】
したがって、本発明の目的は、ハウジングを構成する複数の部材を互いにがたが無く取り付けることができるとともに可溶体が溶断したか否かを容易に確認できるヒューズを提供することにある。
【００１２】
【課題を解決するための手段】
前記課題を解決し目的を達成するために、請求項１に記載の本発明のヒューズは、互いに並設された一対の端子と、前記一対の端子を互いに接続する可溶体と、互いに取り付けられて前記一対の端子の一端部と該一端部の端面から前記一対の端子と平行に延びた第１延在部を有した前記可溶体とを互いの間に挟み込んで収容する複数のケース部材と、導電性を有しかつ前記一対の端子それぞれと電気的に接続した複数の係止爪と、を備え、前記複数の係止爪それぞれは、一つのケース部材に対応して設けられ、かつ前記ケース部材それぞれは、前記係止爪が一つ対応しているとともに、前記係止爪は、前記可溶体の前記第１延在部から前記ケース部材の外方に突出するとともに、前記複数のケース部材は、それぞれ、前記係止爪が係止可能な係止受け部を備え、前記係止爪は、幅広部と、この幅広部より幅が狭い狭矮部と、を備え、前記ケース部材の外表面に係止した際に前記狭矮部と前記幅広部とは、前記ケース部材が端子と可溶体とを互いに挟み込む方向に沿って連なっているとともに、前記係止受け部は、前記ケース部材それぞれの外表面から凹に形成されかつ前記幅広部と合致する第２幅広部と前記狭矮部と合致する第２狭矮部と、を備え、前記第２狭矮部と前記第２幅広部とは前記ケース部材が端子と可溶体とを互いに挟み込む方向に沿って連なっていることを特徴とするヒューズ。
【００１３】
請求項２に記載の本発明のヒューズは、請求項１記載のヒューズにおいて、前記狭矮部が前記幅広部より前記可溶体寄りに配されているとともに、前記第２幅広部が前記第２狭矮部より前記ケース部材の外方向に配されていることを特徴としている。
【００１４】
請求項１に記載した本発明のヒューズによれば、端子と可溶体とのうち一方からケース部材の外方向に向かって突出した複数の係止爪がケース部材それぞれの外表面に係止する。このため、端子と可溶体とのうち一方と、ケース部材それぞれとが確実に固定される。また、係止爪がケース部材の外表面に突出するので、ヒューズの外表面に露出する。
【００１５】
ケース部材が係止受け部を備えているので、係止爪がより確実にケース部材それぞれの外表面に係止する。このため、端子と可溶体とのうち一方と、ケース部材それぞれとがより確実に固定される。
【００１６】
係止爪が幅広部と狭矮部とを備え、係止受け部が前記幅広部と狭矮部それぞれに合致する第２幅広部及び第２狭矮部を備えている。幅広部と狭矮部とが互いにケース部材が端子の一端部と可溶体とを互いの間に挟み込む方向に沿って連なっている。第２幅広部と第２狭矮部とが互いにケース部材が端子の一端部と可溶体とを互いの間に挟み込む方向に沿って連なっている。
【００１７】
このため、係止爪が係止受け部に係止すると、端子と可溶体とのうち一方と、ケース部材それぞれとが互いに固定されることにくわえ、複数のケース部材が、互いの間に端子の一端部と可溶体とを挟み込む方向に沿って、相対的に変位することが規制される。
【００１８】
請求項２に記載した本発明のヒューズによれば、狭矮部が幅広部より可溶体寄りに配され、第２幅広部が第２狭矮部よりケース部材の外方に配されている。このため、係止爪が係止受け部に係止すると、複数のケース部材が、互いの間に端子の一端部と可溶体とを挟み込む方向に沿って、相対的に変位することがより確実に規制される。
【００１９】
【発明の実施の形態】
以下、本発明の一実施形態にかかるヒューズを図１ないし図６を参照して説明する。本発明の一実施形態に係るヒューズ１は、図１ないし図４などに示すように、互いに並設された一対の端子２と、前記端子２を互いに接続する可溶体５と、前記端子２の一端部３ａと可溶体５とを収容するハウジング４と、を備えている。
【００２０】
端子２は、それぞれ導電性を有する材料から構成されている。端子２は、板状に形成されている。一対の端子２は、互いに平行な状態で配されている。端子２は、一端部３ａがハウジング４内に収容されかつ他端部３ｂがハウジング４外に露出した状態で設けられている。端子２は、図４などに示すように、切欠部６と、内側突出部２６と、第１貫通孔としての取付孔７とを備えている。
【００２１】
切欠部６は、前記一端部３ａに設けられている。切欠部６は、内側突出部２６の後述する端面２７より、一対の端子２が互いに離れる方向に向かって凹に形成されている。切欠部６は、一対の端子２の相互間の間隔が、前記内側突出部２６相互間の間隔より段階的に拡がるように形成されている。
【００２２】
切欠部６は端子２の一端部３ａに位置する端面８から端子２の長手方向に沿って中央部に向かって延在した平坦面１０と、この平坦面１０と前記内側突出部２６の端面２７とを連ねる段差面１１と、を備えている。平坦面１０は、端子２の長手方向に沿って平坦に形成されている。平坦面１０の相互間の間隔は、端子２の他端部３ｂの位置する内周面９の相互間の間隔より広く形成されている。
【００２３】
段差面１１は、一対の端子２が互いに接離する方向即ちこれらの端子２が並設される方向に沿って形成されている。切欠部６は、端子２がハウジング４に取付られた状態では、前記ハウジング４内に収容される。
【００２４】
内側突出部２６は、端子２の一端部３ａに設けられている。内側突出部２６は、切欠部６より端子２の中央部寄りに設けられている。内側突出部２６は、それぞれ、内周面９から一対の端子２が互いに近づく方向に向かって突出している。内側突出部２６は、互いに相対向する端面２７と、この端部２７から凹に形成された凹部２８と、を備えている。
【００２５】
これらの端面２７は、それぞれ、端子２の長手方向に沿って平坦に形成されている。凹部２８は、端面２７から一対の端子２が互いに離れる方向に向かって凹に形成されている。
【００２６】
凹部２８は、図示例では、一つの端面２７即ち一つの端子２に二つ設けられている。前述した構成の内側突出部２６は、端子２の一端部３ａがハウジング４内に収容されると、ハウジング４内に収容される。
【００２７】
取付孔７は、それぞれの端子２を貫通している。それぞれの取付孔７は、端子２の一端部３ａに設けられている。取付孔７は、切欠部６より端子２の中央部寄りに設けられている。取付孔７は、平面形状が丸形に形成されている。取付孔７は、一対の端子２相互の中央に位置しかつ端子２の長手方向に沿って延在した軸線Ｐ（図３及び図４などに示す）に関して、互いに対称となる位置に配されている。
【００２８】
前述した構成の一対の端子２は、ヒューズ１が電気接続箱に装着されるとこの電気接続箱の受け端子などにそれぞれの他端部３ｂが電気的に接続する。この受け端子のうち一方には、電源などから電力が供給される。受け端子のうち他方には、各種の負荷が電気的に接続している。このため、前記端子２のうち一方には、前記受け端子などを介して電力が供給され、他方の端子２には負荷が接続している。
【００２９】
ハウジング４は、絶縁性を有する合成樹脂などからなる。ハウジング４は、箱状に形成されている。ハウジング４は、図１ないし図３に示すように、互いに取り付けられる一対のケース部材４ａ，４ｂを備えている。
【００３０】
ケース部材４ａ，４ｂは、後述する端壁１２ａ，１２ｂ一対の側壁１３ａ，１３ｂの縁部が互いに相対した状態で取り付けられて、一対の端子２の一端部３ａと可溶体５とを収容するハウジング４を構成する。ケース部材４ａ，４ｂは、後述の胴壁１４が互いに接離する方向に沿って、前記一対の端子２の一端部３ａと可溶体５とを互いの間に挟み込む。
【００３１】
ケース部材４ａ，４ｂは、互いに同等の構成であるため、以下一方のケース部材４ａを代表して説明する。ケース部材４ａは、図４及び図５に示すように、一対の端壁１２ａ，１２ｂと、一対の側壁１３ａ，１３ｂと、胴壁１４と、を備えている。
【００３２】
一対の端壁１２ａ，１２ｂは、一対の端子２が互いに並設する方向に対し交差する方向に沿って相対向する。一対の端壁１２ａ，１２ｂは、端子２の長手方向に沿って相対する。一対の端壁１２ａ，１２ｂは、前記ハウジング４が端子２を収容すると端面８と平行になる。
【００３３】
一対の端壁１２ａ，１２ｂの内一方の端壁１２ａは、端子２の端面８と相対する。端壁１２ａと端子２の端面８とは、互いに間隔をおいて相対する。また、図示例では、一対の端壁１２ａ，１２ｂは、一対の端子２が互いに並設する方向に対し直交する方向に沿って相対向する。
【００３４】
一対の側壁１３ａ，１３ｂは、一対の端子２が互いに並設する方向に沿って相対向する。一対の側壁１３ａ，１３ｂは、それぞれ、端子２の長手方向に沿って形成されている。
【００３５】
胴壁１４は、端子２の長手方向に沿って延在している。胴壁１４は、それぞれ、前記端壁１２ａ，１２ｂと側壁１３ａ，１３ｂとの双方に連なっている。胴壁１４は、ケース部材４ａ，４ｂが互いに取り付けられると、他方のケース部材４ｂの胴壁１４と、一対の端子２が互いに並設する方向に対し交差する方向に沿って相対向する。
【００３６】
ケース部材４ａ，４ｂが互いに取り付けられた状態で、前記端壁１２ａの内面１５ａと、端壁１２ｂと、側壁１３ａ，１３ｂそれぞれの内面１６ａ，１６ｂと、胴壁１４の内面１７と、で囲まれた空間２０（図４に示す）は、前記端子２の一端部３ａを収容する収容室をなしている。
【００３７】
さらに、一対の端壁１２ａ，１２ｂのうち端子２の中央部よりに位置する端壁１２ｂには、端子２それぞれを通すことのできる貫通孔１８が一対形成されている。一対の端壁１２ａ，１２ｂのうち端子２の端面８に相対する端壁１２ａには、可溶体５の後述する係止爪６１を外部に露出することのできる貫通孔１９が形成されている。
【００３８】
また、前記ケース部材４ａは、図３ないし図５に示すように、仕切壁２１と、第２仕切壁２２と、第１突起２３と、第２突起４６と、第１凹部としての孔６２と、第２凹部としての孔６３と、係止受け部としての係止受け凹部６４と、を備えている。
【００３９】
仕切壁２１は、前記端面８それぞれと間隔を存して相対向する端壁１２ａの内面１５ａから、端壁１２ｂに向かって延在している。仕切壁２１は、側壁１３ａ，１３ｂ及び端子２の長手方向に沿って延在している。
【００４０】
仕切壁２１は、前記端子２が互いに並設する方向に沿って、端子２相互間の中央即ち一対の端子２の相互間に設けられている。この仕切壁２１によって、ハウジング４内に形成される収容室２０は、前記端子２のうち一方の一端部３ａを収容する第１室２４と、前記他方の一端部３ａを収容する第２室２５と、に区画される。なお、図示例では、第１室２４は図中左側に位置し、第２室２５は図中右側に位置する。
【００４１】
第２仕切壁２２は、基端壁３３と、水平壁３４と、一対の仕切部３５と、を備えている。基端壁３３は、端壁１２ｂの貫通孔１８の縁から端子２の長手方向に沿って端壁１２ａの内面１５ａに向かって延在している。基端壁３３は、一対の端子２の内側突出部２６の相互間に配される。基端壁３３は、前記凹部２８と合致する凸部３６を複数備えている。基端壁３３は、一端部３ａが収容室２０内に収容された状態の端子２の端面２７を覆う。
【００４２】
水平壁３４は、前記端壁１２ｂより離れた側に位置する基端壁３３の端部に連なっている。水平壁３４は、一対の端子２が互いに並設する方向に沿って延在している。水平壁３４は、基端壁３３の内面１５ａ寄りの端部から一対の端子２双方に向かって延在している。水平壁３４は、前記段差面１１に沿って形成されている。水平壁３４は、一端部３ａが収容室２０内に収容された状態の端子２の段差面１１を覆う。
【００４３】
一対の仕切部３５は、水平壁３４の一対の端子２寄りの両端部に連なっている。一対の仕切部３５は、前記水平壁３４の両端部から内面１５ａに向かって延在している。一対の仕切部３５は、端子２の切欠部６の平坦面１０に沿って形成されている。
【００４４】
一対の仕切部３５は、一対の端子２が互いに並設する方向に沿って互いに並設している。それぞれの仕切部３５は、前記端子２が互いに並設する方向に沿って、側壁１３ａ，１３ｂの内面１６ａ，１６ｂそれぞれと、仕切壁２１との間に設けられている。一対の仕切部３５は、一端部３ａが収容室２０内に収容された状態の端子２の平坦面１０を覆う。
【００４５】
第１突起２３は、胴壁１４の内面１７から、他方のケース部材４ｂの胴壁１４に向かって突出している。第１突起２３は、取付孔７の内径と略外径が等しい円柱状に形成されている。第１突起２３は一方の側壁１３ｂの近傍でかつ端壁１２ｂ寄りの位置に配されている。第１突起２３は、一方の端子２の取付孔７内に嵌合できるようになっている。
【００４６】
第２突起４６は、胴壁１４の内面１７から他方のケース部材４ｂの胴壁１４に向かって突出している。第２突起４６は、可溶体５の後述する貫通孔４５の内径と略外径が等しい円柱状に形成されている。
【００４７】
第２突起４６は、他方の側壁１３ａの近傍でかつ端壁１２ａ寄りの位置に配されている。第２突起４６は、可溶体５の一対の貫通孔４５内一方の貫通孔４５に嵌合できるようになっている。
【００４８】
孔６２は、胴壁１４の内面１７から凹に形成されている。孔６２は、胴壁１４を貫通している。孔６２は、平面形状が取付孔７と略内径が等しい丸形に形成されている。孔６２は、他方の側壁１３ａの近傍でかつ端壁１２ｂ寄りの位置に配されている。
【００４９】
孔６２は、ハウジング４内に一対の端子２を収容すると、前述した軸線Ｐに関して、前記第１突起２３と対称な位置に配されている。孔６２は、他方の端子２の取付孔７と合致する。
【００５０】
孔６３は、胴壁１４の内面１７から凹に形成されている。孔６３は、胴壁１４を貫通している。孔６３は、平面形状が貫通孔４５と略内径が等しい丸形に形成されている。孔６３は、一方の側壁１３ｂの近傍でかつ端壁１２ａ寄りの位置に配されている。
【００５１】
孔６３は、ハウジング４内に一対の端子２を収容すると、前述した軸線Ｐに関して、前記第２突起４６と対称な位置に配されている。孔６３は、可溶体５の一対の貫通孔４５内他方の貫通孔４５と合致する。
【００５２】
係止受け凹部６４は、ハウジング４の外表面を構成するケース部材４ａの表面から凹に形成されている。係止受け凹部６４は、ケース部材４ａの表面のうち端壁１２ａの外表面１２ｃから凹に形成されている。なお、この外表面１２ｃはハウジング４の外表面をなしている。
【００５３】
係止受け凹部６４は、一方の貫通孔１９と胴壁１４とに亘って形成されている。係止受け凹部６４は、互いに連なる第２幅広部６５と第２狭矮部６６とを備えている。第２幅広部６５と第２狭矮部６６とは、後述する係止爪６１が係止受け凹部６４に係止した際に、ケース部材４ａ，４ｂが互いの間に一対の端子２の一端部３ａと可溶体５とを挟み込む方向に沿って、互いに連なっている。第２幅広部６５と第２狭矮部６６とはそれぞれ矩形状に形成されている。
【００５４】
第２幅広部６５は胴壁１４寄り即ちケース部材４ａの外方向に位置し第２狭矮部６６は貫通孔１９寄りに位置している。第２幅広部６５は、胴壁１４の外表面にも亘って形成されている。第２幅広部６５は第２狭矮部６６より端子２の幅方向即ち胴壁１７及ハウジング４の幅方向に沿った幅が広く形成されている。
【００５５】
第２幅広部６５は、係止爪６１が後述するように係止受け凹部６４の底に向かって折り曲げられた際に、係止爪６１の後述する幅広部７１が合致する。第２狭矮部６６は、係止爪６１が後述するように係止受け凹部６４の底に向かって折り曲げられた際に、係止爪６１の後述する狭矮部７２が合致する。ケース部材４ａ，４ｂが互いに取り付けられた際に、これらケース４ａ，４ｂそれぞれの係止受け凹部６４は、前記軸線Ｐに関して対称な位置に配される。
【００５６】
可溶体５は、図３及び図４に示すように、前記端子２を相互に接続している。図示例において、可溶体５と一対の端子２とは、一つの材料に圧延、切削、プレス加工などが施されて得られる。即ち、可溶体５と一対の端子２とは、一体に形成されている。
【００５７】
可溶体５は、断面が矩形状の線状に形成されている。可溶体５は、特に後述する中央部４０の幅と厚さと長さが、所定の電流値を超えた場合に溶断する寸法に形成されている。
【００５８】
可溶体５は、端子２の端面８を相互に接続している。可溶体５は、図３及び図４に示すように、一対の支持部３９と、溶断部としての中央部４０と、第２貫通孔としての一対の貫通孔４５と、一対の係止爪６１と、を備えている。
【００５９】
それぞれの支持部３９は、第１延在部４１と、第２延在部４２と、を備えている。第１延在部４１は、端面８それぞれから前記端壁１２ａの内面１５ａに向かって即ち前記一対の端子２から離れる方向に延在している。
【００６０】
第１延在部４１は、一端が端面８に連結した帯状に形成されている。第１延在部４１は、前記端子２が互いに並設する方向に沿って、前記側壁１３ａ，１３ｂの内面１６ａ，１６ｂそれぞれと、仕切部３５との中央に設けられている。第１延在部４１は、前記側壁１３ａ，１３ｂと基端壁３３と仕切部３５と仕切壁２１と、に沿っている。
【００６１】
第２延在部４２は、一端が第１延在部４１に連結した帯状に形成されている。第２延在部４２は、それぞれの第１延在部４１の前記端面８より離れた端部４１ａから、互いに近づく方向に延在している。第２延在部４２は、前記仕切部３５の端と端壁１２ａの内面１５ａとの間に設けられている。第２延在部４２は、前記端壁１２ａの内面１５ａ及び水平壁３４に沿って形成されている。
【００６２】
中央部４０は、一対の端子２が互いに並設する方向に沿って、これら端子２相互の中央に位置している。中央部４０は、一対の第３延在部４３と、連結部４４と、を備えている。第３延在部４３は、一端が第２延在部４２に連結した帯状に形成されている。第３延在部４３は、第２延在部４２それぞれの互いに近接する端部から、端子２の長手方向に沿ってこれらの端子２に近づく方向に延在している。
【００６３】
第３延在部４３は、端子２が互いに並設する方向に沿って、一対の仕切部３５それぞれと仕切壁２１との中央に設けられている。第３延在部４３は、基端壁３３と一対の仕切部３５と側壁１３ａ，１３ｂの内面１６ａ，１６ｂと仕切壁２１とに沿っている。
【００６４】
連結部４４は、第３延在部４３の端子２に最も近づいた端部を相互に連結した帯状に形成されている。連結部４４は、仕切壁２１と水平壁３４との間に設けられている。連結部４４は、前記端壁１２ａの内面１５ａと端壁１２ｂ及び水平壁３４に沿って形成されている。連結部４４は、一対の端子２が互いに並設する方向に沿ってこれら端子２相互間の中央に位置する。
【００６５】
可溶体５は、一対の端子２それぞれとの連結箇所をなす第１延在部４１の厚みより端子２相互の中央に位置する連結部４４の厚みが薄く形成されている。また、可溶体５は、第１延在部４１から連結部４４即ち中央部４０に向かうにしたがって段階的に厚みが薄くなるように形成されている。
【００６６】
前記貫通孔４５は、支持部３９の第１延在部４１それぞれを貫通している。貫通孔４５は、第１延在部４１の前記端面８から離れた端部４１ａに設けられている。貫通孔４５は、その平面形状が丸形に形成されている。
【００６７】
係止爪６１は、それぞれの端子２に対応して設けられている。係止爪６１は、導電性を有する金属などからなりかつ可溶体５の第１の延在部４１と一体に形成されている。このため、係止爪６１は、端子２それぞれと電気的に接続している。係止爪６１は、第１延在部４１から貫通孔１９を通ってハウジング４即ちケース部材４ａの外方向に向かって突出する。
【００６８】
係止爪６１は、ケース部材４ａの外方向に向かって突出した際に、係止受け凹部６４の底に向かって折り曲げられて、係止受け凹部６４に係止する。即ち、係止爪６１は、ハウジング４即ちケース部材４ａの外表面１２ｃに係止する。
【００６９】
係止爪６１は、それぞれ、幅広部７１と狭矮部７２とを備えている。幅広部７１と狭矮部７２とは、係止爪６１が係止受け凹部６４に係止した際に、ケース部材４ａ，４ｂが互いの間に一対の端子２の一端部３ａと可溶体５とを挟み込む方向に沿って、互いに連なっている。幅広部７１と狭矮部７２とはそれぞれ矩形状に形成されている。
【００７０】
幅広部７１は端面８から離れた側に位置し狭矮部７２は端面８寄り即ち可溶体５寄りに位置している。幅広部７１は狭矮部７２より端子２の幅方向即ち胴壁１７及ハウジング４の幅方向に沿った幅が広く形成されている。
【００７１】
幅広部７１は、係止爪６１が係止受け凹部６４の底に向かって折り曲げられた際に、係止受け凹部６４の第２幅広部６５内に侵入する。幅広部７１は、第２幅広部６５と合致する。狭矮部７２は、係止爪６１が係止受け凹部６４の底に向かって折り曲げられた際に、係止受け凹部６４の第２狭矮部６６内に侵入する。狭矮部７２は、第２狭矮部６６と合致する。
【００７２】
前述した構成の係止爪６１は、係止受け凹部６４の底に向かって折り曲げられると、幅広部７１と狭矮部７２が第２幅広部６５と第２狭矮部６６内に侵入して、係止受け凹部６４に係止する。係止爪６１は、幅広部７１と狭矮部７２がケース部材４ａの外表面１２ｃと略面一となる。
【００７３】
前述した構成のヒューズ１を組み立てる際には、まず、一方のケース部材４ａの第１突起２３を一方の端子２の取付孔７に通しかつ第２突起４６を一方の貫通孔４５内に通して、前記ケース部材４ａに端子２及び可溶体５を取り付ける。このとき、他方の端子２の取付孔７は孔６２と合致し他方の貫通孔４５は孔６３と合致している。
【００７４】
他方のケース部材４ｂの第１突起２３を孔６２と合致した取付孔７内に通しかつ第２突起４６を孔６３と合致した他方の貫通孔４５内に通して、ケース部材４ａ，４ｂの端壁１２ａ，１２ｂ及び側壁１３ａ，１３ｂの縁部を互いに重ねる。このとき、一方のケース部材４ａの突起２３，４６は、他方のケース部材４ｂの孔６２，６３内に侵入する。
【００７５】
前記孔６２，６３内に突起２３，４６をそれぞれ溶着して、ケース部材４ａ，４ｂを互いに固定する。なお、このとき、係止爪６１は貫通孔１９を通して、ハウジング４即ちケース部材４ａ，４ｂ外に突出している。
【００７６】
そして、一方の係止爪６１を一方のケース部材４ａの係止受け凹部６４の底に向かって折り曲げるとともに、他方の係止爪６１を他方のケース部材４ｂの係止受け凹部６４の底に向かって折り曲げる。それぞれの係止爪６１を係止受け凹部６４に係止させる。係止爪６１を係止受け凹部６４に係止させて、可溶体５とケース部材４ａ，４ｂそれぞれとを互いに固定する。
【００７７】
一方の係止爪６１を一方のケース部材４ａの係止受け凹部６４に係止させ、他方の係止爪６１を他方のケース部材４ｂの係止受け凹部６４に係止させて、前記突起２３，４６に沿って、ケース部材４ａ，４ｂが相互にがたつくことなく取り付けられる。即ち、ケース部材４ａ，４ｂは互いの間に一対の端子２の一端部３ａと可溶体５とを挟み込む方向に沿って、相互にがたつくことなく取り付けられる。
【００７８】
前述した構成のヒューズ１は、前記電気接続箱などに装着される。ヒューズ１は電気接続箱に装着された際に、前記一方の受け端子などを介して端子２のうち一方に供給される電力の電流値が、前記所定の電流値を超えると、可溶体５特に中央部４０が溶断して、前記負荷への電力の供給を停止する。
【００７９】
本実施形態のヒューズ１によれば、可溶体５からケース部材４ａ，４ｂの外方向に向かって突出した一方の係止爪６１が一方のケース部材４ａの係止受け部６４に係止し、他方の係止爪６２が他方のケース部材４ｂの係止受け部６４に係止している。
【００８０】
また、係止爪６１と係止受け部６４とが、互いに合致する幅広部７１，６５と狭矮部７２，６６とを備え、これら幅広部７１，６５と狭矮部７２，６６とは、ケース部材４ａ，４ｂが端子２及び可溶体を互いに挟み込む方向に沿って、連なっている。なお、幅広部７１，６５は狭矮部７２，６６よりハウジング４の外方向に配されている。
【００８１】
このため、係止爪６１が係止受け部６４に係止すると、ケース部材４ａ，４ｂが、前記突起２３，４６に沿った方向即ち前述した端子２及び可溶体を互いに挟み込む方向に沿って、相対的に変位することが規制される。したがって、ケース部材４ａ，４ｂが、特に前述した端子２及び可溶体を互いに挟み込む方向に沿って、互いにがたつくことなく取り付けられる。
【００８２】
また、係止爪６１がケース部材４ａ，４ｂの外方向に突出しかつ、一方の係止爪６１が一方の端子２と電気的に接続し、他方の係止爪６１が他方の端子２と電気的に接続している。このため、係止爪６１間の導通の有無を確認することによって、可溶体５が溶断したか否かを容易に確認できる。
【００８３】
さらに、ケース部材４ａ，４ｂが互いに取り付けられると、係止受け凹部６４同士と、第１突起２３同士と、第２突起４６同士と、がそれぞれ軸線Ｐに関して対称な位置に設けられているので、ケース部材４ａ，４ｂを互いに同形状に形成することができる。したがって、ヒューズ１を構成する部品の種類を抑制することができる。
【００８４】
【発明の効果】
以上説明したように請求項１に記載の本発明によれば、端子と可溶体とのうち一方から突出した複数の係止爪がケース部材それぞれの外表面に係止する。このため、端子と可溶体とのうち一方と、ケース部材それぞれとが確実に固定される。したがって、これらケース部材を互いにガタつくことなく取り付けることができる。
【００８５】
また、係止爪がケース部材の外方向に突出しているので、端子それぞれと電気的に接続しかつ導電性を有する係止爪がヒューズの外表面に露出する。このため、係止爪間の導通の有無を確認することによって、可溶体が溶断したか否かを容易に確認できる。
【００８６】
ケース部材が係止受け部を備えているので、係止爪がより確実にケース部材それぞれの外表面に係止する。このため、端子２と可溶体とのうち一方と、ケース部材それぞれとがより確実に固定される。したがって、これらケース部材を確実に互いにがたつくことなく取り付けることができる。
【００８７】
係止爪が係止受け部に係止すると、端子２と可溶体とのうち一方とケース部材それぞれとが互いの固定されることにくわえ、複数のケース部材が、互いの間に端子の一端部と可溶体とを挟み込む方向に沿って、相対的に変位することが規制される。したがって、ケース部材が互いにより一層がたつくことなく取り付けることができる。
【００８８】
請求項２に記載の本発明によれば、狭矮部が幅広部より可溶体寄りに配され、第２幅広部が第２狭矮部よりケース部材の外方に配されている。このため、係止爪が係止受け部に係止すると、複数のケース部材が、互いの間に端子の一端部と可溶体とを挟み込む方向に沿って、相対的に変位することがより確実に規制される。したがって、ケース部材が互いにより一層がたつくことなく取り付けることができる。
【図面の簡単な説明】
【図１】  本発明の一実施形態に係るヒューズを示す斜視図である。
【図２】  図１中の矢印ＩＩ方向からみた図である。
【図３】  図１に示されたヒューズを分解して示す斜視図である。
【図４】  図１中のＩＶ−ＩＶ線に沿う断面図である。
【図５】  図１に示されたヒューズのケース部材を示す図である。
【図６】  図５中の矢印ＶＩ方向からみた図である。
【図７】  従来のヒューズを示す斜視図である。
【符号の説明】
１  ヒューズ
２  端子
３ａ  一端部
４ａ，４ｂ  ケース部材
５  可溶体
７  取付孔（第１貫通孔）
１２ｃ  外表面
２３  第１突起
４５  貫通孔（第２貫通孔）
４６  第２突起
６１  係止爪
６２  孔（第１凹部）
６３  孔（第２凹部）
６４  係止受け凹部（係止受け部）
６５  第２幅広部
６６  第２狭矮部
７１  幅広部
７２  狭矮部
Ｐ  軸線
【図１】
0003815709.tif 000002
【図２】
0003815709.tif 000003
【図３】
0003815709.tif 000004
【図４】
0003815709.tif 000005
【図５】
0003815709.tif 000006
【図６】
0003815709.tif 000007
【図７】
0003815709.tif 000008